(57)【要約】【課題】  換気パイプであって、壁へ正確な角度で簡単に取り付けることができ、壁厚に対応させることができ、また、強制換気ファンの配線が容易な換気パイプの提供。【解決手段】  外フランジ３を備えた第１のパイプ本体２ａと、内フランジ４を備えると共に、一部を第１のパイプ本体２ａへ嵌合し、軸方向の長さを調整可能とした第２のパイプ本体２ｂとからなり、外フランジ３（正方形）と内フランジ４（円形）は取り付け面を壁面と平行な垂直面とし、第１，第２のパイプ本体２ａ，２ｂは、その軸線ｐを水平面Ｈに対して外フランジ側を低く傾斜させて、それぞれの外フランジ３と内フランジ４に固定してある。外フランジ３は隅部にビス孔７を有し、内フランジ４の側から見通すことができる。【選択図】  図４
2005090888.tif 000002
【特許請求の範囲】
【請求項１】
壁を貫通して取り付けられ、フランジで壁に固定されるパイプであって、パイプ本体とこれに一体に設けた外フランジと内フランジとからなり、外フランジと内フランジは取り付け面を壁面と平行な垂直面とし、パイプ本体は、その軸線を水平面に対して外フランジ側を低く傾斜させて、外フランジ及び内フランジと固定してあることを特徴とした換気パイプ。
【請求項２】
壁を貫通して取り付けられ、フランジで壁に固定されるパイプであって、外フランジを備えた第１のパイプ本体と、内フランジを備えると共に、一部を第１のパイプ本体へ嵌合し、軸方向の長さを調整可能とした第２のパイプ本体とからなり、外フランジと内フランジは取り付け面を壁面と平行な垂直面とし、第１，第２のパイプ本体は、その軸線を水平面に対して外フランジ側を低く傾斜させて、それぞれの外フランジと内フランジに固定してあることを特徴とした換気パイプ。
【請求項３】
外フランジと内フランジの一方を隅部を有した角形とし、他方を隅部のない丸形とし、パイプの軸線方向に丸形フランジ側から角形フランジの隅部を見通せる大きさとしてあることを特徴とした請求項１又は２に記載の換気パイプ。
【請求項４】
パイプ本体と内フランジとの接続部にパイプ本体と内フランジにわたる切欠によって配線孔を形成してあることを特徴とした請求項１〜３のいずれか１つに記載の換気パイプ。
【発明の詳細な説明】
【技術分野】
【０００１】
この発明は、パイプを利用して通気路を形成する換気パイプに関する。
【背景技術】
【０００２】
木造住宅では、壁にパイプを貫通させて取り付け、屋根裏の換気等を行う。パイプを取り付けるには、従来、壁の中にパイプを受ける下地材を予め取り付けておくなどの手間を要している。また、下地材を取り付けておいてもパイプは断面が丸いために、取り付け位置が定まりにくく、仕上がったときにパイプの軸線が屋内側に傾斜していて、雨水がパイプを伝って屋内側に侵入する恐れもある。さらに、パイプは断面が丸いので、壁との間隙を防水テープで塞ぐときにテープがしわになりやすく、きれいな仕上がりを困難にしている。
【０００３】
この点を解決するために、特許文献１の通気パイプは、通気パイプとフランジを一体化することで通気パイプ周りの気密性能、防水性能を向上させている。特許文献２の換気口は、排気ダクト２の底部に室外側端部から室内方向に向かって形成されたほぼＶ字上の溝状部２Ｃを備えている。しかし、特許文献１の通気パイプでは、取り付け構造が複雑で手間を要する。また、通気パイプ内部の結露水などが室内側へ侵入してくるのを防止する構成や、通気パイプを取付けやすく構成の開示は無い。特許文献２の換気口は、ダクト部として特殊な断面形状の管を準備する必要がある。さらに、いずれも、強制換気用のファンを取り付けるときに、配線用の孔を後加工する必要があり、壁厚に応じて全長を調整することもできない。
【０００４】
【特許文献１】特開平９−１７７２９９号公報
【特許文献２】特開平８−１７８３８１号公報
【発明の開示】
【発明が解決しようとする課題】
【０００５】
この発明は、簡単な構造で換気パイプを壁に対して所定の傾斜を持たせて取り付けることができ、また、ビス止めなどの取り付け作業や配線が容易であるとともに、壁厚に対応して換気パイプの長さを調整できる換気パイプの提供を課題とする。
【課題を解決するための手段】
【０００６】
換気パイプをパイプ本体とフランジとで構成し、壁に取り付けるフランジの垂直面に対してパイプ本体の軸線が水平よりも屋外側が低くなる配置でフランジにパイプ本体を固定する。
パイプ本体は、第１のパイプ本体と第２のパイプ本体に分割して、第１のパイプ本体に第２のパイプ本体を嵌合し、軸方向の長さを調整可能とすることがある。
【０００７】
換気パイプが外フランジ（屋外側）と内フランジ（屋内側）を備える場合は、一方のフランジを隅部を備えた角形にすると共に他方のフランジを隅部を有しない丸形にして、パイプ本体の軸線方向から一方のフランジの隅部を見通せる構造とする。
パイプ本体と内フランジの接続部に両方の部分にわたる切欠を設けて、強制換気用のファンを用いる時の配線孔とする。
【発明の効果】
【０００８】
フランジを壁に固定するだけで、パイプ本体は常に屋外側が低く取り付けられることとなり、雨水の侵入を防止できる。
一方のフランジの隅部を壁にビス止めするとき、他方のフランジがその作業の邪魔となることがない。
パイプ本体が第１と第２のパイプ本体に分割され全体としての長さを調整できるので、換気パイプを壁厚に対応させることができる。
予め配線孔を設けてあるので、強制換気用ファンの配線が容易である。
【発明を実施するための最良の形態】
【０００９】
壁を貫通させるパイプ本体に外フランジと内フランジを嵌合して接着などにより固定する。フランジの垂直面に対してパイプ本体を、その軸線が屋外側で低くなるようにして固定する。合成樹脂の場合は一体成形による固定であっても良い。
パイプ本体を分割するときは、第１パイプ本体の屋外側に外フランジを、第２パイプ本体の屋内側に内フランジを固定する。
いずれの場合もパイプ本体と内フランジとが接続する屈曲部分を切欠くことにより、両部分にわたる配線孔を形成する。
【実施例１】
【００１０】
換気パイプ１はパイプ本体２と外フランジ３および内フランジ４で構成されている（図１）。これらはＡＢＳ樹脂の成形品であり、パイプ本体２の外径５５．５ｍｍ、内径５２．５ｍｍである。外フランジ３は、１辺１５０ｍｍの正方形で厚さ３ｍｍであり、内フランジ４は、外径７５ｍｍ、内径５５．５ｍｍである。パイプ本体２は、外フランジ３及び内フランジ４に嵌合して接着により固定又は一体成形してある。内フランジ４はパイプ本体２の屋外側端面と同一面に固定され、内フランジ４とパイプ本体２が接続する角部が２ヶ所で切欠かれ、両部分にわたる配線孔５，５が形成されている。
【００１１】
外フランジ３は角形で隅部６を有し、その部分にビス孔７を形成してある。内フランジ４は丸形で隅部がなく、パイプ本体２の軸線ｐ方向から外フランジ３の隅部を見通すことができる。
図２は換気パイプ１を木造住宅の壁８に取り付けた状態である。壁８は、外合板９と内合板１０を所定の間隔で有し、基本的に垂直な面を構成している。また、これらの合板９，１０には、換気パイプを取り付ける個所に予めパイプ本体２を差し込める程度の取り付け孔１１を形成しておく。
【００１２】
外合板９を取り付けた段階で換気パイプ１の屋外側を取り付け孔１１に差し込み、外フランジ３を外合板９の内面に当て付け、四隅のビス孔７を利用してビス止めする。すると、パイプ本体２は、図２に示すように、その軸線ｐが水平面Ｈに対して約１．３°の傾斜で屋外側が低くなるように取り付けられる。すなわち、パイプ本体２と外フランジ３は、外フランジ３の垂直面に対してパイプ本体２がその軸線を水平面から１．３°傾斜して固定される。
【００１３】
外フランジ３の四隅をビス止めする作業は、内フランジ４が張り出している屋内側からの作業となるが、内フランジ４は隅部のない丸形なので、外フランジ３の隅部に位置するビス孔７を見通すことができ（図３）、ドライバーなどの工具をビスの軸線とまっすぐに掛けやすく、作業を正確にすばやく行うことができる。
【００１４】
このようにして、外合板９に対して換気パイプ１を固定できたら、配線孔５を利用して、内外の合板１０，９の間に来ている配線の先端部をパイプ本体２の内部へ誘導し、ついで、屋内側から内フランジ４に内合板１０を当て付けて内フランジ４と内合板１０を接着やビス止めで固定する。
外フランジ３、内フランジ４の周囲には合板に渡して防水テープを貼り付ける。いずれの個所もフランジの平面と合板の平面にテ−プを貼るのでテープが皺になったりすることが少ない。
【実施例２】
【００１５】
図４は、換気パイプ１を種々の壁厚に対応できるようにした構成であり、パイプ本体２が第１のパイプ本体２ａと第２のパイプ本体２ｂ（図５）に分割されている。第１のパイプ本体２ａは、屋外側に外フランジ３を備えるだけで、実施例１における換気パイプから内フランジを除去した構造である。第２のパイプ本体２ｂは、屋外側部分がわずかに細く、外径が第１のパイプ本体２ａの内径と等しくしてあり、屋内側に内フランジ４を備えている（図５）。
【００１６】
第１のパイプ本体２ａに対して第２のパイプ本体２ｂの屋外側を嵌合し、パイプ本体２の全体としての長さを調整する。第２のパイプ本体２ｂと内フランジ４が接続する部分に配線孔５を形成してある。
すなわち、第１のパイプ本体２ａと第２のパイプ本体２ｂは全体としてパイプ本体２を構成して、その軸線ｐはやはり、水平面Ｈに対して約１．３°の角度で屋外側が低くなる方向に傾斜している。
他の構成や取り付け手順は、実施例１と同じである。なお、第２のパイプ本体２ｂは全体が第１のパイプ本体へ嵌合できる外径としたものであってもよい。
【実施例３】
【００１７】
図６は、実施例２の変形であって、パイプ本体２が第１と第２のパイプ本体２ａ，２ｂとで構成されているが、第１のパイプ本体として、実施例１の換気パイプをそのまま利用したものである。このため、内フランジ４が第１のパイプ本体２ａと第２のパイプ本体２ｂに存在するが、第１のパイプ本体の内フランジ４は換気パイプ１の取り付けに寄与しない。
この実施例の構造は、外フランジ３と内フランジ４を備えた第１のパイプ本体（実施例１の構造）を主体にすると、内フランジ４を備えた第２のパイプ本体２ｂは、実施例１の換気パイプの延長用アダプターである。
【００１８】
以上は実施例であり、説明した寸法や角度は、用途や使用個所に応じて設計することができる。また、フランジやパイプ本体の素材は、金属や他の合成樹脂であってもよい。
壁の構造は木造住宅における仕上げ前の１例である。
換気パイプの屋外側端部には、通常、鳥や昆虫の侵入と雨風が直接吹き込むのを防止するために換気フードを取り付ける。
【図面の簡単な説明】
【００１９】
【図１】斜視図
【図２】一部を断面で示す側面図
【図３】正面図
【図４】一部を断面で示す側面図（実施例２）
【図５】一部の斜視図（実施例２）
【図６】一部を断面で示す側面図（実施例３）
【符号の説明】
【００２０】
１  換気パイプ
２  パイプ本体
２ａ  第１のパイプ本体
２ｂ  第２のパイプ本体
３  外フランジ
４  内フランジ
５  配線孔
６  隅部
７  ビス孔
８  壁
９  外合板
１０  内合板
１１  取り付け孔
【図１】
2005090888.tif 000003
【図２】
2005090888.tif 000004
【図３】
2005090888.tif 000005
【図４】
2005090888.tif 000006
【図５】
2005090888.tif 000007
【図６】
2005090888.tif 000008